(57)【特許請求の範囲】
【請求項１】
使用者の後頭部で固定することにより外れ防止が可能な外れ防止用メガネであって、
レンズ部を有するフロント部と、
フロント部の両端に回動可能に取り付けられた一対のテンプル部と、
該テンプル部にそれぞれ取り付けられた屈曲性のある一対の固定ベルト部と、よりなり、
該固定ベルト部の前端部にはテンプル部に対して摺動可能なスライド部が設けられ、
該スライド部に設けられた小突起が前記固定ベルト部に圧入により取り付けられたものであり、
前記テンプル部にはレール部が設けられており、
該レール部が、上下２本の分岐レール部と、上下の該分岐レール部を架橋する柱部と、を備え、
前記スライド部には前記分岐レール部に嵌り込むスライド用長溝が形成されており、
前記固定ベルト部の前端部と後端部との間には、前記分岐レール部に嵌り込むベルト用長溝が形成されており、
前記スライド用長溝と前記ベルト用長溝とが前記分岐レール部に嵌り込み、前記レール部に沿って前記スライド部が案内されて摺動自在となっており、
前記レール部の後端部には、前記スライド部の離脱を防止するための停止部が形成されており、
前記固定ベルト部の後端部には、各固定ベルト部を相互に連結する固定部がそれぞれ設けられている外れ防止用メガネ。
【請求項２】
前記レール部には前記スライド部を仮固定するための複数の仮固定部が、間隔を置いて形成されている請求項１の外れ防止用メガネ。
【請求項３】
前記各固定部の相互の固定が磁着によるものである請求項１記載の外れ防止用メガネ。
【請求項４】
前記スライド用長溝と、前記ベルト用長溝とが一直線上にあり、
前記固定ベルト部が断面視Ｈ状であり、前記上下の分岐レール部により挟持されて移動するものであり、
前記固定ベルト部の幅が、上面視で前記テンプル部の幅内に収まるものである請求項１記載の外れ防止用メガネ。
【発明の詳細な説明】
【技術分野】
【０００１】
本発明は使用者の後頭部で保持することにより外れ防止が可能なメガネに関し、より詳しくは、メガネと一体となった固定ベルト部を備え、使用者の後頭部で固定することが可能な外れ防止用メガネに関する。
【背景技術】
【０００２】
メガネは視力が弱い人にとっては必需品であり、生活のあらゆるシーンで用いられている。
かかるシーンには当然にスポーツなど、激しく体を動かす場合を含むものであり、メガネが外れたり、さらには落下したりすることを防止することが求められる。
【０００３】
これに応えて、種々のメガネの脱落を防止する機構が開発されている。
例えば、特許文献１の眼鏡落下防止保持具は、一対の吊り具で構成され、各吊り具は柔軟性を有する材料で形成された円筒状チューブを主要構成要素とし、該円筒状チューブの一方の端には短い円柱状磁石がその片面を端から僅かに突出させた状態で円筒状チューブに挿入、固定されており、該円柱状磁石の反対側面には円筒状チューブの奥に向けて該円柱状磁石の奥方向への移動を阻止する磁石台座が挿入、固定されているものである。
【０００４】
また、特許文献２の眼鏡保持具は、フレキシブルな繊維ウエブ又は織物からなる眼鏡保持具であって、メガネのフレーム端部上をスライドすることのできる弾性部分が設けられている形式のものである。
【先行技術文献】
【特許文献】
【０００５】
【特許文献１】登録実用新案第３２１２４９８号公報
【特許文献２】実開平４−１３０９２２号公報
【発明の概要】
【発明が解決しようとする課題】
【０００６】
特許文献１の眼鏡落下防止保持具や特許文献２の眼鏡保持具は、メガネのテンプルの端部に取り付けられるもので、常にテンプルの後端から大きく突出した状態となっている。したがって、通常のメガネの掛け方をする場合は、不要であり、むしろ邪魔なものとなる。
また、これらはメガネ一体に設けられるものではなく、メガネと別に保管するため紛失する恐れがある。
【０００７】
本発明は、上述の課題を受けて開発されたものである。
すなわち、本発明は使用者の後頭部で保持することにより外れ防止が可能なメガネに関し、より詳しくは、メガネ本体、特にメガネのテンプルの後端から大きく突出しない固定ベルト部を備え、使用者の後頭部で保持することが可能な外れ防止用メガネを提供することを目的とする。
【課題を解決するための手段】
【０００８】
本発明者は鋭意検討の結果、先端部に固定可能な固定部を設けた固定ベルト部を、メガネのテンプル部に摺動可能とすることにより、眼鏡本体より大きく突出しないようにできることを見出した。
本発明はこの知見に基づく。
【０００９】
本発明は（１）、使用者の後頭部で固定することにより外れ防止が可能な外れ防止用メガネであって、レンズ部を有するフロント部と、フロント部の両端に回動可能に取り付けられた一対のテンプル部と、テンプル部にそれぞれ取り付けられた屈曲性のある一対の固定ベルト部と、よりなり、固定ベルト部の前端部にはテンプル部に対して摺動可能なスライド部が設けられ、スライド部に設けられた小突起が固定ベルト部に圧入により取り付けられたものであり、テンプル部にはレール部が設けられており、レール部が、上下２本の分岐レール部と、上下の分岐レール部を架橋する柱部と、を備え、スライド部には分岐レール部に嵌り込むスライド用長溝が形成されており、固定ベルト部の前端部と後端部との間には、分岐レール部に嵌り込むベルト用長溝が形成されており、スライド用長溝とベルト用長溝とが分岐レール部に嵌り込み、レール部に沿ってスライド部が案内されて摺動自在となっており、レール部の後端部には、スライド部の離脱を防止するための停止部が形成されており、固定ベルト部の後端部には、各固定ベルト部を相互に連結する固定部がそれぞれ設けられている外れ防止用メガネに存する。
【００１０】
本発明は（２）、レール部にはスライド部を仮固定するための複数の仮固定部が、間隔を置いて形成されている上記（１）記載の外れ防止用メガネに存する。
【００１１】
本発明は（３）、各固定部の相互の固定が磁着によるものである上記（１）記載の外れ防止用メガネに存する。
【００１２】
本発明は（４）、スライド用長溝と、ベルト用長溝とが一直線上にあり、固定ベルト部が断面視Ｈ状であり、上下の分岐レール部により挟持されて移動するものであり、固定ベルト部の幅が、上面視でテンプル部の幅内に収まるものである上記（１）記載の外れ防止用メガネに存する。
【発明の効果】
【００１６】
本発明は、テンプル部にそれぞれ取り付けられた屈曲性のある一対の固定ベルト部を備え、固定ベルト部の前端部にはテンプル部に対して摺動可能なスライド部が設けられ、固定ベルト部の後端部には、各固定ベルト部を相互に連結する固定部がそれぞれ設けられていることにより、外れ防止用メガネを使用者の後頭部で保持して外れを防止することができる。
また、テンプル部にスライド部が摺動することにより、固定ベルト部を使用しない場合、固定ベルト部をテンプル部に収めることができメガネ本体から大きく突出した状態とならない。
【００１７】
本発明は、テンプル部にはレール部が設けられており、レール部に沿ってスライド部が案内されて摺動自在となっていることにより、スライド部の摺動運動が安定し、固定ベルト部の引出操作もスムースに行われる。
【００１８】
本発明は、レール部が、上下２本の分岐レール部を備え、スライド部には分岐レール部に嵌り込むスライド用長溝が形成されていることにより、上下の分岐レール部によってスライド部が挟持され、スライド部が上下方向にぶれることなく安定して摺動することが可能となる。
【００１９】
本発明は、固定ベルト部の前端部と後端部との間には、分岐レール部に嵌り込むベルト用長溝が形成されていることにより、固定ベルト部全体が上下の分岐レール部に挟持された状態で収まることができる。
【００２０】
レール部の後端部には、スライド部の離脱を防止するための停止部が形成されていることにより、固定ベルト部を引き出し過ぎて、テンプル部から固定ベルト部が離脱することを防止することができる。
【００２１】
本発明は、レール部にはスライド部を仮固定するための複数の仮固定部が、間隔を置いて形成されていることにより、固定ベルト部を段階的に引き出し、使用者が自らの頭部に合わせて容易に固定ベルト部の長さを調整することができる。
【００２２】
本発明は、各固定部の相互の固定が磁着によるものであることにより、固定部の着脱が極めて簡単に行える。
【図面の簡単な説明】
【００２３】
【図１】図１は、外れ防止用メガネを示す平面図である。
【図２】図２は、外れ防止用メガネを示す側面図である。
【図３】図３は、固定ベルト部を除いた外れ防止用メガネを示す側面図である。
【図４】図４（ａ）は、スライド部と固定ベルト部との取り付け状態を示す平面図であり、図４（ｂ）は、スライド部と固定ベルト部との取り付け状態を示す側面図である。
【図５】図５は、固定ベルト部を、一定の距離、スライドさせて引き出した状態の外れ防止用メガネＡを示す側面図である。
【図６】図６は、固定ベルト部とテンプル部との嵌合した状態を示す断面図である。
【図７】図７（ａ）は、テンプル部の断面図であり、図７（ｂ）は、固定ベルト部の断面図である。
【図８】図８は、磁着による固定部を備えた外れ防止用メガネＡを示す概略斜視図である。
【図９】図９は、固定部の変形例１を示す斜視図である。
【図１０】図１０は、固定部の変形例１を示す側面図であり、図１０（ａ）は固定する前の状態を示し、図１０（ｂ）は固定した後の状態を示す。
【図１１】図１１は固定部の変形例２を示す斜視図である。
【図１２】図１２は、固定部の変形例２を示す側面図であり、図１２（ａ）は固定する前の状態を示し、図１２（ｂ）は固定した後の状態を示す。
【発明を実施するための形態】
【００２４】
以下、必要に応じて図面を参照しつつ、本発明の好適な実施形態について詳細に説明する。
なお、図面中、同一要素には同一符号を付すこととし、重複する説明は省略する。
また、上下左右等の位置関係は、特に断らない限り、図面に示す位置関係に基づくものとする。
更に、図面の寸法比率は図示の比率に限られるものではない。
以下の明細書において、本発明の外れ防止用メガネＡを使用者が装着した場合に、使用者の顔が向いている方向を前方、その逆側を後方という。また、使用者の顔の側を内側、その逆側を外側という。
【００２５】
（第１の実施形態）
図１は、外れ防止用メガネＡを示す平面図である。また、図２は、外れ防止用メガネＡを示す側面図である。なお、レンズ自体は略して示す。
本発明のメガネは、使用者の後頭部で保持することにより外れ防止が可能な外れ防止用メガネＡである。
そして、レンズ部１を有するフロント部２と、フロント部２の両端に回動可能に取り付けられた一対のテンプル部３と、テンプル部３にそれぞれ取り付けられた屈曲性のある一対の固定ベルト部４とを備えるものである。
【００２６】
フロント部２は、一対のレンズ部１の外側を囲む枠体であり、略中央がブリッジによって架橋されている。
ブリッジには、使用者の鼻に当接してメガネを固定する鼻パッドＰが、ブリッジの裏面から突出するように備わっている。
フロント部２の両端には智（「ヨロイ」ともいう）が備わっており、該智にそれぞれテンプル部３が回動可能に取り付けられている。
智とテンプル部３の連結には、例えば枢着ネジ等を用いることができるが、回動できるものであれば必ずしもこれに限らない。極端には金属のバネ力により回動するものであっても良い。
【００２７】
左右の一対のテンプル部３は、使用者の頭部側面に当接するように、智を介して後方へ延出し、その後端の領域が耳に掛かるように下方に向けて緩やかに僅かにカーブしている。
図３は、固定ベルト部４を除いた外れ防止用メガネＡを示す側面図である。
ところでテンプル部３には固定ベルト部４を摺動させるレール部３１が設けられている。
レール部３１には、上下２本の分岐レール部３１ａが備わっており、この上下２本の分岐レール部３１ａの間に長手方向の間隔長孔３１ｂが形成されている。
上下の分岐レール部３１ａは柱部３１ｃで架橋され、上下の分岐レール部３１ａの間隔が変わり間隔長孔３１ｂが広がったり狭まったりしないように補強されている。
このため、後述するスライド部５及び固定ベルト部４が、常に分岐レール部上を締まり嵌め状態で摺動することが可能となる。
なお、柱部３１ｃは薄肉に形成されており、後述するスライド部５及び固定ベルト部４の摺動を阻害することがない。
【００２８】
また、レール部３１の後端部には、後で詳しく述べるスライド部５の離脱を防止するための停止部６が形成されている。
停止部６は、レール部３１からメガネの下方に向けて突出するよう形成されており、側面視でテンプル部３の末端が下方に拡幅した状態にある。
【００２９】
レール部３１の後端部に停止部６が形成されていることにより、スライド部５が停止部６に当接して停止することができる。そのため、固定ベルト部４を引き出し過ぎて、テンプル部３から、スライド部５、詳しくはスライド部５が取り付けられた固定ベルト部４が離脱するのを防止することができる。なお、停止部６には固定ベルト部４が通過できる通孔が形成されている。
【００３０】
また、レール部３１には、複数の仮固定部７が間隔を置いて、複数個所に形成されている。
仮固定部７は、上下の分岐レール部３１ａに設けられた側面視略Ｖ字状の一対の切欠きである。
後述するスライド部５は上下に図示しない弾性を有する突起を備えており、固定ベルト部４がレール部３１を摺動する場合、該突起が仮固定部７に係合することにより固定ベルト部４及びスライド部５を仮固定することが可能となる。
仮固定を解除するには、固定ベルト部４を強く引き出す。
これにより、該突起が弾性により変形し、仮固定部７から脱し更にスライドすることが可能となる。
該突起がその弾性により変形して仮固定部７から開放され、スライド可能な状態となる。さらにスライド部５をスライドさせると、該突起は次の位置にある仮固定部７に係合し仮固定される。
レール部３１が仮固定部７を有することにより、固定ベルト部４を引き出して段階的にその停止位置を変更することができる。
したがって、使用者は自らの頭部に合わせて容易に固定ベルト部４の引出し長さを調整することができる。
【００３１】
一対のテンプル部３には、屈曲性を有する固定ベルト部４がそれぞれ取り付けられている。
固定ベルト部４は帯状であり、その前端部と後端部との間の領域には、テンプル部３の分岐レール部３１ａに嵌り込むベルト用長溝４１が形成されている。
すなわち、固定ベルト部４は、側面視で分岐レール部３１ａに挟持された状態であり、その厚みは上面視でテンプル部３の厚みより小さい。
換言すると、固定ベルト部４は上面視でテンプル部３の幅内に収まった状態にある。
固定ベルト部４の前端部には、後述するスライド部５の一部である小突起５３が嵌合されて取り付けられている。
また、固定ベルト部４の後端部には後述する固定部８がそれぞれ設けられている。
固定ベルト部４には、例えば弾性を有するラバー、軟質合成樹脂等の材料を好適に用いることができる。
【００３２】
テンプル部３に固定ベルト部４が摺動可能に取り付けられていることにより、固定ベルト部４を使用しない場合、スライド部５を前方に移動させておき収納状態に維持できる。    そのため不使用の状態において、固定ベルト部４がメガネ本体から大きく突出することはない。
更に固定ベルト部４を紛失するといった事態も防止できる。
【００３３】
図４（ａ）は、スライド部５と固定ベルト部４との取り付け状態を示す平面図である。
また、図４（ｂ）は、スライド部５と固定ベルト部４との取り付け状態を示す側面図であり、スライド部５の内側（顔側）を示す。
固定ベルト部４の前端部には、テンプル部３に対してレール部３１に沿って摺動自在にスライド部５が設けられている。
スライド部５は、ブロック状であり内側に向けて大小二つの突起を有する。
このうち後側の小突起５３は、固定ベルト部４に圧入により取り付けられている。
また、前側についた大突起５２には、その上側と下側に前後方向に延びるスライド用長溝５１を有する。
このスライド用長溝５１は、固定ベルト部４のベルト用長溝４１と一直線上にあり、上下の分岐レール部３１ａに嵌り込んでいる。
なお、スライド部５は、固定ベルト部４と一体に形成されてもよいが、レール部３１との摺動性の観点から、テンプル部３と同様の合成樹脂や金属等の硬質材料（例えば、ポリアミド、ポリエーテルイミド、ステンレス、チタン、βチタン）よりなる別部品とした方が好ましい。
【００３４】
図５は、固定ベルト部４を、一定の距離、スライドさせて引き出した状態の外れ防止用メガネＡを示す側面図である。
ベルト用長溝４１及びスライド用長溝５１が上下の分岐レール部３１ａに嵌り込むことにより、上下の分岐レール部３１ａによってスライド部５を含む固定ベルト部４が挟持されて移動する。
これにより、スライド部５が上下方向にぶれることなく安定して摺動することができ、またスライド部５が取り付けられた固定ベルト部４も同様に安定して摺動することができるのである
ここで使用者が固定ベルト部４をスライドさせる場合には、スライド部５に例えば爪先を当てて操作することにより、容易に固定ベルト部４を前後方向にスライドすることができる。
【００３５】
次に固定ベルト部４とテンプル部３とが嵌合した状態について断面図を用いて述べる。
図６は、固定ベルト部４とテンプル部３との嵌合した状態を示す断面図である。
【００３６】
また、参考までに、図７（ａ）はテンプル部３の断面、図７（ｂ）は固定ベルト部４の断面を示す。
固定ベルト部４は断面Ｈ状で上下にベルト用長溝４１を有し、またテンプル部３は、上下の分岐レール部３１ａに凸部３１ｄを有する。なお、固定ベルト部４とスライド部５とは、ベルト用長溝４１とスライド用長溝５１とが連続するように取り付けられる。
この分岐レール部３１ａの凸部３１ｄが固定ベルト部４のベルト用長溝４１に嵌り込むことにより、固定ベルト４は分岐レール部３１ａをスムースに摺動することができる。
ところで前述した上下の分岐レール部３１ａをつなぐ柱部３１ｃは、図６でいう分岐レール部３１ａの左側に設けられている。
柱部３１ｃは、分岐レール部３１ａの長さ方向の適宜位置に一点鎖線で示ように設けられている。
【００３７】
図８は、磁着による固定部を備えた外れ防止用メガネＡを示す概略斜視図である。
各固定ベルト部４の後端部には、それぞれ固定部８が設けられている。
左右の固定部８には互いに磁着するマグネットＭが埋設されており、各固定部８の相互の固定が該マグネットＭの磁着により行われる。
磁着のため固定部８の着脱が簡単に行われるため、使用者が外れ防止用メガネＡを掛けた状態で、固定ベルト部４の接続を容易に行うことができる。
【００３８】
次に、固定ベルト部４を用いて外れ防止用メガネＡを後頭部で保持する方法について述べる。
今、スライド部５が最前方にあるとすると、まず、スライド部５を後方へ向けてスライドさせる。
これにより、スライド部５に取り付けられている固定ベルト部４は、分岐レール部３１ａに挟持された状態でレール部３１に案内されて引き出される。
【００３９】
更に固定ベルト部４を引き出すと、スライド部５の図示しない突起が最初の位置にある仮固定部７（詳しくは、切り欠き）に係合して停止する。
この固定ベルト部４を引き出す際、固定ベルト部４の終端部分（すなわち固定部８）を摘まんで引き出しても良いし、スライド部５のみを摘まんで後方に移動させても良い
次に、さらに固定ベルト部４を引き出すと、スライド部５は次の位置にある仮固定部７に係合して停止する。
同じような操作が繰り返される。
【００４０】
そして、固定ベルト部４を最後方まで引き出すと、スライド部５は停止部６に当たって停止し、これ以上固定ベルト部４を引き出すことが阻止される。
当然、固定ベルト部４の脱落も防止される。
このように使用者は、仮固定部７が設けられた適宜の位置にて、選択的にスライド部５を仮固定することができ、その結果、固定ベルト部４の突出する長さを調整することができる。
尚、固定ベルト部４は、屈曲性を有するので、先述したようにテンプル部３が僅かにカーブしていても、それに応じて変形することができる。そのためレール部３１に沿って摺動することが可能である。
【００４１】
固定ベルト部４を引き出した後、各固定ベルト部４の後端にある固定部同士を近接させると固定部８のマグネットＭが磁着し合って固定部同士が固定される。
これにより、固定部８が固定された状態では、外れ防止用メガネＡは使用者の後頭部で保持されるため外れることはない。
【００４２】
次に固定部の変形例について述べることとする。
図９は、固定部８の変形例１を示す斜視図である。
【００４３】
また、図１０は、固定部８の変形例１を示す側面図であり、図１０（ａ）は固定する前の状態を示し、図１０（ｂ）は固定した後の状態を示す。
この変形例１においては、一方の固定部８Ａが弾発片８Ａ２を有する凸部８Ａ１を備えており、他方の固定部８Ｂが該凸部８Ａ１を受け入れるための凹部８Ｂ１を備えている。
また、弾発片８Ａ２は爪部Ｎを備えており、凹部８Ｂ１を有する固定部８Ｂには該弾発片８Ａ２の爪部Ｎが係止するための切り抜き溝８Ｂ２を備えている。
【００４４】
今、一方の固定部８Ｂの凹部８Ｂ２に他方の固定部８Ａの凸部８Ａ１を挿入すると、切り抜き溝８Ｂ２に弾発片８Ａ２の爪部Ｎが係止し両者は確実に固定される〔図１０（ａ）→図１０（ｂ）。〕
次に、固定を解く場合は、一方の固定部８Ａの爪部Ｎを押し下げ、他方の固定部８Ｂの切り抜き溝８Ｂ２から爪部Ｎの係止を外す。
その後、引き抜くと固定部８Ａと固定部８Ｂは相互に離脱する。
【００４５】
図１１は固定部の変形例２を示す斜視図である。
また、図１２は、固定部の変形例２を示す側面図であり、図１２（ａ）は固定する前の状態を示し、図１２（ｂ）は固定した後の状態を示す。
この変形例２においては、一方の固定部８Ｃが球状の凸部８Ｃ１を備えており、他方の固定部８Ｄが該球状の凸部８Ｃ１を受け入れるための凹部８Ｄ１を備えている。
また、凹部８Ｄ１を備えた固定部８Ｄには球状の凸部８Ｃ１の一部が嵌り込むための円孔Ｈを備えている。
【００４６】
今、一方の固定部８Ｄの凹部８Ｄ１に他方の固定部８Ｃの凸部８Ｃ１を挿入すると、球状の凸部８Ｃ１が凹部８Ｄ１を備えた固定部８Ｄの円孔Ｈに嵌って、両者は確実に固定される〔図１２（ａ）→図１２（ｂ）〕。
次に、固定を解く場合は、一方の固定部８Ｃの球状の凸部８Ｃ１を強く引き抜くことで、その一部が円孔Ｈから離脱して固定部８Ｃと固定部８Ｄは相互に離脱する。
この変形例２においては、球状の凸部８Ｃ１が凹部８Ｄ１の中で回動することが可能であるため、外れ防止用メガネＡを掛けた状態において、固定ベルト部４に捻じれが生じてもそれを解消することができる。
【００４７】
以上、本発明の好適な実施形態について説明したが、本発明は上記実施形態に限定されるものではない。
テンプル部３の仮固定部７は必ずしも必須ではない。
テンプル部３のレール部３１は、テンプル部３の外側面に沿って突出状にレール部を形成し、固定ベルト部４にはそのレール部に嵌め込まれて摺動する長溝部を形成することも採用可能である。
また、固定部８については、一方の固定部８に雄ねじを備え、他方の固定部８には雌ねじを備え、固定部同士を螺合することにより固定するようにすることも可能である。
【００４８】
仮固定部７（切り欠き）及び仮固定部７に係合するスライド部５の突起を省略し、スライド部５及び固定ベルト部４が、分岐レール部３１ａによって締まり嵌め状態で固定されるようにしても良い。
この場合、固定ベルト部４の引出し長さを連続的に調整することが可能となる。
【産業上の利用可能性】
【００４９】
本発明の外れ防止用メガネＡは、固定ベルト部４がテンプル部３の端部より突出しない利点があり、この利点が発揮できるものであれば、スポーツ用、作業用のメガネの他、サングラス等のアイウェアに幅広く利用可能なものである。
【符号の説明】
【００５０】
Ａ・・・外れ防止用メガネ
１・・・レンズ部
２・・・フロント部
３・・・テンプル部
３１・・・レール部
３１ａ・・・分岐レール部
３１ｂ・・・間隔長孔
３１ｃ・・・柱部
３１ｄ・・・凸部
４・・・固定ベルト部
４１・・・ベルト用長溝
５・・・スライド部
５１・・・スライド用長溝
５２・・・大突起
５３・・・小突起
６・・・停止部
７・・・仮固定部
８、８Ａ、８Ｂ、８Ｃ、８Ｄ・・・固定部
８Ａ１・・・凸部
８Ａ２・・・弾発片
８Ｂ１・・・凹部
８Ｂ２・・・切り抜き溝
８Ｃ１・・・凸部
８Ｄ１・・・凹部
Ｍ・・・マグネット
Ｎ・・・爪部
Ｈ・・・円孔
Ｐ・・・鼻パッド
【図１】
0006966762.tif 000002
【図２】
0006966762.tif 000003
【図３】
0006966762.tif 000004
【図４】
0006966762.tif 000005
【図５】
0006966762.tif 000006
【図６】
0006966762.tif 000007
【図７】
0006966762.tif 000008
【図８】
0006966762.tif 000009
【図９】
0006966762.tif 000010
【図１０】
0006966762.tif 000011
【図１１】
0006966762.tif 000012
【図１２】
0006966762.tif 000013